【手続補正書】
【提出日】平成29年1月16日(2017.1.16)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
ビデオデータのコード化ビデオシーケンス（ＣＶＳ）内に含まれる複数のパラメータセットのうちのすべてのパラメータについて、更新が生じてよいか、生じないかを示す単一のフラグを復号することと、
前記単一のフラグが、前記ＣＶＳにおいて前記更新が生じてよいと示すことに基づいて、
特定のタイプの、かつ特定の識別値を有する現在のパラメータセットの第１の内容を、同じ特定のタイプの、かつ同じ特定の識別値を有する前のパラメータセットの第２の内容と比較すること、および
前記現在のパラメータセットの前記第１の内容が、前記前のパラメータセットの前記第２の内容とは異なることに基づいて、パラメータセットの更新を実行すること、または
前記単一のフラグが、前記ＣＶＳにおいて前記更新が生じないと示すことに基づいて、
同じ特定のタイプの、かつ同じ特定の識別値を有する別のパラメータセットの内容を、前記前のパラメータセットの前記第２の内容と比較することを控えること、と、
を備える、方法。
【請求項２】
前記単一のフラグが、前記ＣＶＳにおいて前記更新が生じないと示すことに基づいて、
前記ＣＶＳ全体に対して、前記前のパラメータセットを利用すること、
をさらに備える、請求項１に記載の方法。
【請求項３】
前記パラメータセットの更新を実行することは、前記ＣＶＳに対して、前記現在のパラメータセットをアクティブ化し、かつ前記前のパラメータセットを非アクティブ化することをさらに備える、請求項１に記載の方法。
【請求項４】
前記単一のフラグが、前記ＣＶＳにおいて前記更新が前記生じないと示すことに基づいて、前記ＣＶＳとは別個の、帯域外送信中の１つまたは複数のパラメータセットを受信することをさらに備える、請求項１に記載の方法。
【請求項５】
前記単一のフラグが、前記ＣＶＳにおいて前記更新が生じないと示すことに基づいて、前記第１のパラメータセットのどの反復送信についての内容も比較せずに、前記ＣＶＳとともに、帯域内送信中の１つまたは複数のパラメータセットを受信することをさらに備える、請求項１に記載の方法。
【請求項６】
前記単一のフラグが、前記ＣＶＳついての少なくとも１つのアクセスユニットの補足強調情報（ＳＥＩ）メッセージに含まれる、請求項１に記載の方法。
【請求項７】
前記単一のフラグが、前記ＣＶＳの少なくとも１つのアクセスユニットに含まれるシーケンスパラメータセット（ＳＰＳ）ネットワークアブストラクションレイヤ（ＮＡＬ）ユニットに含まれる、請求項１に記載の方法。
【請求項８】
前記単一のフラグが、前記ＣＶＳにおいて前記更新が生じないと示すことに基づいて、前記ＣＶＳの先頭において１つまたは複数のパラメータセットを受信することをさらに備える、請求項１に記載の方法。
【請求項９】
前記単一のフラグの第１の値は、前記ＣＶＳにおいて前記更新が生じてよいと示し、前記フラグの第２の値は、前記ＣＶＳにおいて前記更新が生じないと示す、請求項１に記載の方法。
【請求項１０】
前記単一のフラグが、前記パラメータセットの更新が生じないと示すことに基づいて、前記前のパラメータセットに基づいてビデオデータの前記ＣＶＳを復号することをさらに備える、請求項１に記載の方法。
【請求項１１】
ビデオデータを符号化する方法であって、
ビデオデータのコード化ビデオシーケンス（ＣＶＳ）内に含まれる複数のパラメータセットのうちのすべてのパラメータについて、更新が生じてよいか、生じないかを示す単一のフラグを符号化することと、
特定の識別値をもつ特定のタイプの現在のパラメータセットを符号化することと、
前記ＣＶＳにおいて前記更新が生じてよいとき、かつ前記現在のパラメータセットの第１の内容が、同じ特定のタイプの、かつ同じ特定の識別値を有する前のパラメータセットの第２の内容とは異なることに基づいて、前記前のパラメータセットを置き換えるために前記現在のパラメータセットを記憶することと、
前記ＣＶＳにおいて前記更新が生じないとき、前記前のパラメータセットを置き換えるために前記現在のパラメータセットを記憶することを控えることとを備える、方法。
【請求項１２】
前記ＣＶＳにおいて前記更新が生じないとき、前記ＣＶＳとは別個の、帯域外送信中の１つまたは複数のパラメータセットを符号化することをさらに備える、請求項１１に記載の方法。
【請求項１３】
前記ＣＶＳにおいて前記更新が生じないとき、前記ＣＶＳとともに、帯域内送信中の１つまたは複数のパラメータセットを符号化することをさらに備える、請求項１１に記載の方法。
【請求項１４】
前記単一のフラグが、前記ＣＶＳついての少なくとも１つのアクセスユニットの補足強調情報（ＳＥＩ）メッセージに含まれる、請求項１１に記載の方法。
【請求項１５】
前記単一のフラグが、前記ＣＶＳの少なくとも１つのアクセスユニットに含まれるシーケンスパラメータセット（ＳＰＳ）ネットワークアブストラクションレイヤ（ＮＡＬ）ユニットに含まれる、請求項１１に記載の方法。
【請求項１６】
前記ＣＶＳにおいて前記更新が生じないとき、前記ＣＶＳの先頭において１つまたは複数のパラメータセットを符号化することをさらに備える、請求項１１に記載の方法。
【請求項１７】
前記単一のフラグの第１の値は、前記ＣＶＳにおいて前記更新が生じてよいと示し、前記フラグの第２の値は、前記ＣＶＳにおいて前記更新が生じないと示す、請求項１１に記載の方法。
【請求項１８】
前記更新が生じないとき、前記前のパラメータセットに基づいてビデオデータの前記ＣＶＳを符号化することをさらに備える、請求項１１に記載の方法。
【請求項１９】
ビデオデータを復号するためのビデオ復号デバイスであって、
ビデオデータを記憶するように構成されたメモリと、
ビデオデータのコード化ビデオシーケンス（ＣＶＳ）内に含まれる複数のパラメータセットのうちのすべてのパラメータについて、更新が生じてよいか、生じないかを示す単一のフラグを復号することと、
前記単一のフラグが、前記ＣＶＳにおいて前記更新が生じてよいと示すことに基づいて、
特定のタイプの、かつ特定の識別値を有する現在のパラメータセットの第１の内容を、同じ特定のタイプの、かつ同じ特定の識別値を有する前のパラメータセットの第２の内容と比較すること、および
前記現在のパラメータセットの前記第１の内容が、前記前のパラメータセットの前記第２の内容とは異なることに基づいて、パラメータセットの更新を実行すること、と、
前記単一のフラグが、前記ＣＶＳにおいて前記更新が生じないと示すことに基づいて、
同じ特定のタイプの、かつ同じ特定の識別値を有する別のパラメータセットの内容を、前記前のパラメータセットの前記第２の内容と比較することを控えること、と、
を行うように構成された１つまたは複数のプロセッサと、
を備える、ビデオ復号デバイス。
【請求項２０】
前記単一のフラグが、前記ＣＶＳにおいて前記更新が生じないと示すことに基づいて、前記１つまたは複数のプロセッサは、
前記ＣＶＳ全体に対して、前記前のパラメータセットを利用するように構成される、請求項１９に記載のデバイス。
【請求項２１】
前記パラメータセットの更新を実行するために、前記１つまたは複数のプロセッサは、前記ＣＶＳに対して、前記現在のパラメータセットをアクティブ化し、かつ前記前のパラメータセットを非アクティブ化するように構成される、請求項１９に記載のデバイス。
【請求項２２】
前記単一のフラグが、任意のタイプのパラメータセットについて、前記ＣＶＳにおいて前記更新が生じてよいか生じないかを示す、請求項１９に記載のデバイス。
【請求項２３】
前記単一のフラグが、前記ＣＶＳにおいて前記更新が生じないと示すことに基づいて、前記１つまたは複数のプロセッサは、前記ＣＶＳとは別個の、帯域外送信中の１つまたは複数のパラメータセットを受信するように構成される、請求項１９に記載の方法。
【請求項２４】
前記単一のフラグが、前記ＣＶＳにおいて前記更新が生じないと示すことに基づいて、前記１つまたは複数のプロセッサは、前記ＣＶＳとともに、帯域内送信中の１つまたは複数のパラメータセットを受信するように構成される、請求項１９に記載のデバイス。
【請求項２５】
前記単一のフラグが、前記ＣＶＳついての少なくとも１つのアクセスユニットの補足強調情報（ＳＥＩ）メッセージに含まれる、請求項１９に記載のデバイス。
【請求項２６】
前記単一のフラグが、前記ＣＶＳの少なくとも１つのアクセスユニットに含まれるシーケンスパラメータセット（ＳＰＳ）ネットワークアブストラクションレイヤ（ＮＡＬ）ユニットに含まれる、請求項１９に記載のデバイス。
【請求項２７】
前記単一のフラグが、前記ＣＶＳにおいて前記更新が生じないと示すことに基づいて、前記１つまたは複数のプロセッサは、前記ＣＶＳの先頭において１つまたは複数のパラメータセットを受信するように構成される、請求項１９に記載のデバイス。
【請求項２８】
前記単一のフラグの第１の値は、前記ＣＶＳにおいて前記更新が生じてよいと示し、前記フラグの第２の値は、前記ＣＶＳにおいて前記更新が生じないと示す、請求項１９に記載のデバイス。
【請求項２９】
前記単一のフラグが、前記更新が生じないと示すことに基づいて、前記１つまたは複数のプロセッサは、前記前のパラメータセットに基づいてビデオデータの前記ＣＶＳを復号するように構成される、請求項１９に記載のデバイス。
【請求項３０】
ビデオデータを復号するためのビデオ復号デバイスであって、
ビデオデータのコード化ビデオシーケンス（ＣＶＳ）内に含まれる複数のパラメータセットのうちのすべてのパラメータについて、更新が生じてよいか、生じないかを示す単一のフラグを復号するための手段と、
前記単一のフラグが、前記ＣＶＳにおいて前記更新が生じると示すことに基づいて、特定のタイプの、かつ特定の識別値を有する現在のパラメータセットの第１の内容を、同じ特定のタイプの、かつ同じ特定の識別値を有する前のパラメータセットの第２の内容と比較するための手段と、
前記現在のパラメータセットの前記第１の内容が、前記前のパラメータセットの前記第２の内容とは異なることに基づいて、パラメータセットの更新を実行するための手段と、
前記単一のフラグが、前記ＣＶＳにおいて前記更新が生じないと示すことに基づいて、同じ特定のタイプの、かつ同じ特定の識別値を有する別のパラメータセットの内容を、前記前のパラメータセットの前記第２の内容と比較することを控えるための手段と、
を備えるデバイス。
【請求項３１】
前記単一のフラグの第１の値は、前記ＣＶＳにおいて前記更新が生じてよいと示し、前記フラグの第２の値は、前記ＣＶＳにおいて前記更新が生じないと示す、請求項３０に記載のデバイス。
【請求項３２】
前記単一のフラグが、前記更新が生じないと示すことに基づいて、前記前のパラメータセットに基づいてビデオデータの前記ＣＶＳを復号するための手段をさらに備える、請求項３０に記載のデバイス。
【請求項３３】
ビデオデータを復号するための命令を備える非一時的なコンピュータ可読媒体であって、前記命令が、実行されると、１つまたは複数のプロセッサに、
コード化ビデオシーケンス（ＣＶＳ）内に含まれる複数のパラメータセットのうちのすべてのパラメータについて、パラメータセットの更新が生じてよいか、生じないかを示す単一のフラグを復号することと、
前記単一のフラグが、前記ＣＶＳにおいて前記更新が生じてよいと示すことに基づいて、特定のタイプの、かつ特定の識別値を有する現在のパラメータセットの第１の内容を、同じ特定のタイプの、かつ同じ特定の識別値を有する前のパラメータセットの第２の内容と比較することと、
前記現在のパラメータセットの前記第１の内容が、前記前のパラメータセットの前記第２の内容とは異なることに基づいて、パラメータセットの更新を実行することと、
前記単一のフラグが、前記ＣＶＳにおいて前記更新が生じないと示すことに基づいて、同じ特定のタイプの、かつ同じ特定の識別値を有する別のパラメータセットの内容を、前記前のパラメータセットの前記第２の内容と比較することを控えることと、
を行わせる、非一時的なコンピュータ可読媒体。
【請求項３４】
前記単一のフラグの第１の値は、前記ＣＶＳにおいて前記更新が生じてよいと示し、前記フラグの第２の値は、前記ＣＶＳにおいて前記更新が生じないと示す、請求項３３に記載の非一時的なコンピュータ可読媒体。
【請求項３５】
前記１つまたは複数のプロセッサに、
前記単一のフラグが、前記更新が生じないと示すことに基づいて、前記前のパラメータセットに基づいて、ビデオデータの前記ＣＶＳを復号することを行わせる命令をさらに備える、請求項３３に記載の非一時的なコンピュータ可読媒体。